(57)【要約】【課題】自身の小型化を実現した上でケーブルの端末の余長部を確実に収容できるコネクタハウジングを提供する。【解決手段】複数本の被覆電線１１の回りをシース１２で覆った構造であり、かつシース１２が皮剥ぎされることで露出された各被覆電線１１の端末に端子金具１５が接続された処理が施されたケーブル１０の端末に設けられるコネクタハウジング２０であって、被覆電線１１の端末に接続された端子金具１５を収容する端子収容部２２が並んで設けられたインナハウジング２１と、このインナハウジング２１の後方に扁平な形態で一体的に延出形成され、露出された各被覆電線１１が波形に屈曲されつつ表裏の面に交互に這うように装着される装着部材３０と、インナハウジング２１が収容されかつ相手ハウジングが嵌合可能なコネクタ部４２と、装着部材３０が収容される収容室５０とが設けられたアウタハウジング４０と、が備えられている。【選択図】図２
2013114783.tif 000002
【特許請求の範囲】
【請求項１】
複数本の被覆電線の回りをシースで覆った構造であり、かつ前記シースが皮剥ぎされることで露出された各被覆電線の端末に端子金具が接続された処理が施されたケーブルの端末に設けられるコネクタハウジングであって、
前記被覆電線の端末に接続された前記端子金具を収容する端子収容部が並んで設けられたインナハウジングと、
このインナハウジングの後方に扁平な形態で一体的に延出形成され、露出された前記各被覆電線が波形に屈曲されつつ表裏の面に交互に這うように装着される装着部材と、
前記インナハウジングが収容されかつ相手ハウジングが嵌合可能なコネクタ部と、前記装着部材が収容される収容室とが設けられたアウタハウジングと、
が備えられていることを特徴とするコネクタハウジング。
【請求項２】
前記装着部材は、前記各端子収容部に亘る幅寸法を有する本体板を備え、この本体板には各端子収容部から後方に延びる線上に、前記端子金具並びに前記被覆電線を挿通可能な挿通孔が複数個間隔を開けて開口されることにより形成されていることを特徴とする請求項１記載のコネクタハウジング。
【請求項３】
前記装着部材は、１本の帯材が、前記各端子収容部に亘る幅領域において後方に向けてジグザグ状に屈曲形成されることで形成されていることを特徴とする請求項１記載のコネクタハウジング。
【請求項４】
前記アウタハウジングにおける前記収容室の後端部には、前記ケーブルの前記シースの端末に嵌着されたゴム栓が緊密に嵌合されるゴム栓嵌合部が形成されているとともに、前記アウタハウジングの後端部には、ゴム栓押さえが装着されていることを特徴とする請求項１ないし請求項３のいずれか一項に記載のコネクタハウジング。
【発明の詳細な説明】
【技術分野】
【０００１】
本発明は、複数本の被覆電線の回りをシースで覆ったケーブルの端末に設けられるコネクタハウジングに関する。
【背景技術】
【０００２】
この種のケーブルの一例であるシールドケーブルの端末にコネクタハウジングを接続する場合は、同ケーブルのシースの端末を皮剥ぎして被覆電線を露出させ、露出された各被覆電線の端末に端子金具を圧着する端末処理が施され、各端子金具がコネクタハウジング内に収容されるようになっている（下記特許文献１参照）。  
ここで、被覆電線の端末に端子金具を圧着する作業は圧着機を用いて行うのであるが、圧着作業をしやすくするためには、被覆電線の露出長さを相応に採る必要がある。
【０００３】
一方、ケーブルの端末とハウジングとの間でシールを採ったり、またケーブルの端末をシールド部材で覆うシールド構造を採る場合には、シースの端末から突出した被覆電線の露出部分がいわゆる余長部となり、ハウジングに対してその余長部を収める収容室を設ける必要がある。
【先行技術文献】
【特許文献】
【０００４】
【特許文献１】特開平９−２２７５５号公報
【発明の概要】
【発明が解決しようとする課題】
【０００５】
従来では、余長部を収容室に収容するに当たっては、単に畳んで押し込む構造であったため、特に周囲が低温雰囲気で余長部が硬くなっているような場合には、小さく畳めなくて全部が入り切らなかったり、無理に押し込んで傷を付けるおそれもあった。この不具合を解消するには収容室を大きく取ればよいのであるが、コネクタハウジング自体の大型化を招くことになるために単純には採用できない。  
本発明は上記のような事情に基づいて完成されたものであって、その目的は、自身の小型化を実現した上でケーブルの端末の余長部を確実に収容できるようにしたコネクタハウジングを提供するところにある。
【課題を解決するための手段】
【０００６】
本発明は、複数本の被覆電線の回りをシースで覆った構造であり、かつ前記シースが皮剥ぎされることで露出された各被覆電線の端末に端子金具が接続された処理が施されたケーブルの端末に設けられるコネクタハウジングであって、前記被覆電線の端末に接続された前記端子金具を収容する端子収容部が並んで設けられたインナハウジングと、このインナハウジングの後方に扁平な形態で一体的に延出形成され、露出された前記各被覆電線が波形に屈曲されつつ表裏の面に交互に這うように装着される装着部材と、前記インナハウジングが収容されかつ相手ハウジングが嵌合可能なコネクタ部と、前記装着部材が収容される収容室とが設けられたアウタハウジングと、が備えられているところに特徴を有する。
【０００７】
インナハウジングの端子収容部に端子金具が収容される一方、端子金具の後方に引き出された余長部である被覆電線の露出部分が、装着部材における当該端子収容部の後方に延びた延長線上において、波形に屈曲されつつ表裏の面に交互に這うように装着される。そののち、インナハウジングがアウタハウジングのコネクタ部に収容されることと併せて、余長部が装着された装着部材が収容室に収容される。  
インナハウジングの後方に扁平な装着部材を設けて、同装着部材に対してケーブルの端末の余長部を表裏の面に交互に這うような一定の姿勢で装着できる構造としたから、アウタハウジングに設ける収容室を比較的背の低いものに留め、すなわちコネクタハウジングの小型化を実現しながらも、全ての余長部を確実に収容することができる。
【０００８】
また、以下のような構成としてもよい。  
（１）前記装着部材は、前記各端子収容部に亘る幅寸法を有する本体板を備え、この本体板には各端子収容部から後方に延びる線上に、前記端子金具並びに前記被覆電線を挿通可能な挿通孔が複数個間隔を開けて開口されることにより形成されている。  
端子金具並びにその後方に引き出された被覆電線の露出部分は、装着部材の本体板に開口された挿通孔に対して、後端側のものから順次に表面と裏面から交互に挿通され、前端の挿通孔から引き出された端子金具が端子収容部に収容されると、同端子金具の後方に引き出された被覆電線は、波を打って挿通孔に順次に通された形態で、本体板の表裏の面に交互に這うように装着される。
【０００９】
（２）前記装着部材は、１本の帯材が、前記各端子収容部に亘る幅領域において後方に向けてジグザグ状に屈曲形成されることで形成されている。  
各端子金具を端子収容部に収容したのち、各端子金具の後方に引き出された被覆電線の露出部分が揃って、表向きと裏向きに交互に向きを変えつつ、装着部材のジグザク形の左右の開口から交互に挿通されることで、各被覆電線の露出部分は、波を打って表裏の面に交互に這うように装着される。ケーブルの余長部を装着部材に装着する作業が簡単に行える。
【００１０】
（３）前記アウタハウジングにおける前記収容室の後端部には、前記ケーブルの前記シースの端末に嵌着されたゴム栓が緊密に嵌合されるゴム栓嵌合部が形成されているとともに、前記アウタハウジングの後端部には、ゴム栓押さえが装着されている。  
インナハウジングの後方に設けられた装着部材が、同装着部材に装着された被覆電線ともどもアウタハウジングの収容室に収容されると、シースの端末に嵌着されたゴム栓が、収容室の後端部に設けられたゴム栓嵌合部に緊密に嵌合されてゴム栓押さえで抜け止めされ、これによりケーブルの端末とアウタハウジングとの間がシールされる。ケーブルの端末の余長部を全て収容室に収めることができて、ゴム栓嵌合部に余長部が張り出すこと等が回避でき、ゴム栓の正確な嵌合を担保して確実にシールを取ることが可能となる。
【発明の効果】
【００１１】
本発明のコネクタハウジングによれば、自身の小型化を実現した上でケーブルの端末の余長部を確実に収容することができる。
【図面の簡単な説明】
【００１２】
【図１】本発明の実施形態１に係る雌側の防水コネクタの分解斜視図
【図２】組み付けが完了した状態の雌側の防水コネクタの縦断面図
【図３】同斜視図
【図４】実施形態２に係る装着部材を一体的に設けたインナハウジングの側面図
【図５】同底面図
【図６】装着部材にケーブルの余長部を装着した状態の側面図
【図７】同底面図
【図８】組み付けが完了した状態の雌側の防水コネクタの縦断面図
【発明を実施するための形態】
【００１３】
＜実施形態１＞
本発明の実施形態１を図１ないし図３によって説明する。この実施形態では、シールドケーブル１０の端末に設けられる雌側のコネクタハウジング２０（以下、雌ハウジング２０）を例示する。  
この実施形態のシールドケーブル１０（以下、ケーブル１０）は、動力線等に使用される３本の被覆電線１１と、１本のドレイン線とが撚り合わされ、それらの回りがシース１２で覆われた構造となっている。
【００１４】
上記のケーブル１０における雌ハウジング２０と接続される側の端末では、シース１２が所定長さ（例えば８０mm）皮剥ぎされ、３本の被覆電線１１の端末と、１本のドレイン線の端末とが露出状態とされる。ここで、ドレイン線の露出部分については、外周に絶縁テープが巻かれるか、あるいは熱収縮チューブが嵌着されることで、被覆電線１１の形態をなすドレイン線とされる。したがって、シース１２の端末からは、実質的に４本の被覆電線１１が所定長さ（８０mm）突出した状態となる。
【００１５】
露出された各被覆電線１１（ドレイン線を含む）の端末には、雌端子１５が接続されている。雌端子１５は、内部に弾性接触片１７を設けた角筒形をなす接続部１６の後方にバレル１８が設けられた構造であって、図示しない圧着機を用いて雌端子１５のバレル１８をかしめることで、各被覆電線１１の端末に雌端子１５が圧着されている。  
この雌端子１５の圧着作業をしやすくするために、被覆電線１１の露出長さを比較的長く採っており、この露出部分１１Ａがいわゆる余長部となる。
【００１６】
上記のように端末処理が施されたケーブル１０の端末に雌ハウジング２０が装着されることにより、雌側の防水コネクタＦ１が形成されるようになっており、続いて雌ハウジング２０の構造について説明する。  
雌ハウジング２０は、図１に示すように、共に合成樹脂材からなるインナハウジング２１とアウタハウジング４０とを有している。
【００１７】
インナハウジング２１は平面方形をなす厚板状をなし、このインナハウジング２１の上面には、前後方向を向いた４本の溝状をなす端子収容部２２が、一定間隔を開けて幅方向に並んで形成されている。  
端子収容部２２には雌端子１５が上面開口から挿入できるようになっており、図２に示すように、雌端子１５並びに同雌端子１５から引き出された形態の被覆電線１１の端末側の一部が収容されるようになっている。端子収容部２２の前端側の溝底には、雌端子１５の接続部１６に設けられた金属ランス１９と、同接続部１６の後縁にそれぞれ係止して抜け止めする係止部２３，２４が形成されている。
【００１８】
インナハウジング２１の後方には、装着部材３０が一体形成されている。この装着部材３０は、インナハウジング２１よりも長さと幅とが共に大きい平面略方形をなす本体板３１を備えており、図２に示すように、インナハウジング２１の下面よりも少し下方位置において、幅狭の連結部２６を介して繋がって形成されている。
【００１９】
この本体板３１には、上記したインナハウジング２１の各端子収容部２２から後方へ延長された線上において、雌端子１５並びに被覆電線１１を挿通可能な挿通孔３２が４個ずつ前後方向に間隔を開けて形成されている。各挿通孔３２の上下の口縁には、傷付き防止のために丸みが付けられている。  
本体板３１の後縁における幅方向の中央部には、ケーブル１０の皮剥ぎされた後のシース１２の端末を挟む挟持部３４が形成されている。
【００２０】
アウタハウジング４０は、やや扁平な後面開口の角筒状をなす本体部４１を備えており、この本体部４１の前端部には、上記したインナハウジング２１が挿入可能なタワー部４３が突出形成され、同タワー部４３の回りにフード部４４が形成されることによって、図示しない相手の雄ハウジングが嵌合されるコネクタ部４２が形成されている。
【００２１】
コネクタ部４２を構成するタワー部４３の前面壁には、インナハウジング２１の各端子収容部２２と対応した位置ごとに、相手の雄ハウジングに装着された雄端子のタブが挿入される端子挿入口４６が開口されている。  
タワー部４３の付け根側の外周には、相手の雄ハウジングとの間をシールすることに機能するゴムリング４７が嵌着されているとともに、フード部４４の上面には、相手の雄ハウジングとの間を嵌合状態にロックするロックアーム４８が設けられている。
【００２２】
一方、アウタハウジング４０の本体部４１内は、詳しくは後記するように、ケーブル１０の端末から突出された４本の被覆電線１１を装着してなる装着部材３０を収容する収容室５０となっている。  
ケーブル１０（シース１２）の端末にはゴム栓５５が装着され、同ゴム栓５５は正面方形のブロック状をなし、ケーブル１０を緊密に挿通する中心孔５６が形成されているとともに、内外周にリップ５７が形成されている。アウタハウジング４０の収容室５０の後端部が、上記のゴム栓５５が緊密に嵌合されるゴム栓嵌合部５９となっている。
【００２３】
アウタハウジング４０の本体部４１の後端には、ゴム栓押さえを兼ねたバックホルダ６０が装着されるようになっている。バックホルダ６０は同じく合成樹脂製であって、本体部４１の後端に外嵌されるキャップ形に形成されている。バックホルダ６０の後面板には、ケーブル１０の挿通口６１が開口されているとともに、左右の側面には、本体部４１の後端部における左右の側面に形成された係止突起４９に弾性的に係止して抜け止めする弾性係止片６３が設けられている。
【００２４】
本実施形態は上記のような構造であって、続いて雌側の防水コネクタＦ１の組み付け手順について説明する。  
ケーブル１０の端末にバックホルダ６０とゴム栓５５とが先通しされ、その状態から、既述した要領によってケーブル１０の端末処理が施される。簡単に繰り返すと、シース１２が所定長さ皮剥ぎされて合計４本の被覆電線１１が露出状態とされ、各被覆電線１１の端末に雌端子１５が圧着されて接続される。
【００２５】
続いて、各雌端子１５並びにその後方に引き出された被覆電線１１の露出部分１１Ａが、インナハウジング２１の後方に設けられた装着部材３０の本体板３１に開口された対応する挿通孔３２の列に対して挿通される。より具体的には、雌端子１５と被覆電線１１とは、一列に並んだ４個の挿通孔３２に対し、図２に示すように、後端側のものから順次に上方と下方から交互に挿通される。最後に前端の挿通孔３２から雌端子１５が上面側に引き出されると、同雌端子１５と被覆電線１１の端末側の一部が、その前方の端子収容部２２に上方から挿入され、雌端子１５が２箇所の係止部２３，２４で係止されて抜け止めされる。併せて、被覆電線１１の露出部分１１Ａは、波を打って挿通孔３２に順次に通された形態で、本体板３１の上下の面に交互に這うように装着される。
【００２６】
他の３本の雌端子１５と被覆電線１１についても、対応する挿通孔３２の列に対して上記と同じ要領で挿通され、それぞれ雌端子１５がインナハウジング２１の端子収容部２２に抜け止めされて収容されるとともに、被覆電線１１の露出部分１１Ａ（余長部）が、波を打って挿通孔３２に順次に通された形態で、装着部材３０における本体板３１の上下の面に交互に這うように装着された状態となる。  
それとともに、残ったシース１２の端末が装着部材３０の後端の挟持部３４に挟まれて固定される。
【００２７】
アウタハウジング４０側では、タワー部４３の付け根側の外周にゴムリング４７が嵌着される。係る状態から、上記のように雌端子１５と被覆電線１１の露出部分１１Ａとが装着されたインナハウジング２１並びに装着部材３０が、アウタハウジング４０内に収容室５０の後面開口側から挿入される。インナハウジング２１が、コネクタ部４２を構成するタワー部４３内に挿入されて前面壁に当たったところで押し込みが停止され、このとき図２に示すように、被覆電線１１の露出部分１１Ａ（余長部）が装着された装着部材３０が収容室５０に収容された状態となる。
【００２８】
そののち、ゴム栓５５がケーブル１０に沿ってシース１２の端末まで移動され、アウタハウジング４０の収容室５０の後端部に設けられたゴム栓嵌合部５９内に緊密に嵌合される。続いてバックホルダ６０が同じくケーブル１０に沿って移動されつつアウタハウジング４０の後端部に外嵌され、左右の弾性係止片６３が係止突起４９に弾性的に係止することで固定される。これにより、ゴム栓５５さらには装着部材３０を含むインナハウジング２１が抜け不能な状態でアウタハウジング４０内に収容される。  
以上により、雌側の防水コネクタＦ１の組み付けが完了する。
【００２９】
本実施形態の雌ハウジング２０によれば、雌端子１５が収容されるインナハウジング２１の後方に板状の装着部材３０を設けて、同装着部材３０に対してケーブル１０の端末の余長部である被覆電線１１の露出部分１１Ａを上下の面に交互に這うような一定の姿勢で装着できる構造としたから、アウタハウジング４０に設ける収容室５０を比較的背の低いものに留め、すなわち雌ハウジング２０の小型化を実現しながらも、全ての余長部を確実に収容することができる。
【００３０】
＜実施形態２＞
次に、本発明の実施形態２を図４ないし図８によって説明する。この実施形態２では、ケーブル１０（シース１２）の端末から突出した被覆電線１１の露出部分１１Ａ（余長部）を装着するべくインナハウジング２１の後方に一体形成された装着部材７０の形状に変更が加えられている。
【００３１】
この実施形態２の装着部材７０は、図４及び図５に示すように、インナハウジング２１の厚さよりもやや大きい高さを有する縦長の長方形断面をなす１本の帯材７１が、インナハウジング２１と同幅の領域において、前方から後方に向けてジクザグ状に１．５ピッチ分屈曲形成されたような形状に形成されている。言い換えると装着部材７０は、４本の長辺７２が所定間隔を開けて前後方向に並べられ、かつ手前から１本目と２本目の長辺７２の正面視の左端同士、同２本目と３本目の右端同士、及び同２本目と３本目の左端同士がそれぞれ短辺７３で連結されることによって、４本の長辺７２の間に、開口７４Ａが左右交互に形成された３本の挿通溝７４が形成された形状となっている。
【００３２】
このような形状になる装着部材７０が、その下面を、インナハウジング２１の下面よりも少し下方に突出させた位置において、幅狭の連結部２６を介して一体的に繋がって形成されている。３本の挿通溝７４の幅は、被覆電線１１の直径よりも少し大きく設定されており、各挿通溝７４の上下の溝縁には、傷付き防止のために丸みが付けられている。  
その他の構造については、上記実施形態１と同様であって、実施形態１と同一機能を有する部材、部位については、同一符号を付すことによって、説明を省略または簡略化する。
【００３３】
本実施形態において、ケーブル１０の端末に突出した４本の雌端子１５並びに被覆電線１１の露出部分１１Ａをインナハウジング２１並びに装着部材７０に装着する手順は、以下のようである。  
まず被覆電線１１の端末に接続された各雌端子１５が、インナハウジング２１における対応する端子収容部２２に収容される。そののち、各雌端子１５の後方に引き出された４本の被覆電線１１の露出部分１１Ａが揃って、下向きと上向きに交互に向きを変えつつ、装着部材７０の３本の挿通溝７４に対して左右の開口７４Ａから交互に挿通されることによって、図６及び図７に示すように、各被覆電線１１の露出部分１１Ａ（余長部）は、波を打って当該装着部材７０の上下の面に交互に這うように装着される。
【００３４】
そののち、図８に示すように、雌端子１５と被覆電線１１の露出部分１１Ａとが装着されたインナハウジング２１並びに装着部材７０が、アウタハウジング４０内に収容室５０の後面開口側から挿入され、インナハウジング２１がコネクタ部４２を構成するタワー部４３内に挿入されて収容されたところで、被覆電線１１の露出部分１１Ａ（余長部）が装着された装着部材７０が収容室５０に収容された状態となる。  
最後に、ゴム栓５５並びにバックホルダ６０が装着されることで、雌側の防水コネクタＦ２の組み付けが完了する。
【００３５】
本実施形態の雌ハウジング２０Ａによれば、雌端子１５が収容されるインナハウジング２１の後方に、ジグザグ形をなす比較的扁平な装着部材７０を設けて、同装着部材７０に対してケーブル１０の端末の余長部である被覆電線１１の露出部分１１Ａを上下の面に交互に這うような一定の姿勢で装着できる構造としたから、同様にアウタハウジング４０に設ける収容室５０を比較的背の低いものに留め、すなわち雌ハウジング２０Ａの小型化を実現しながらも、全ての余長部を確実に収容することができる。
【００３６】
また、被覆電線１１の露出部分１１Ａ（余長部）を装着部材７０に装着するに当たっては、雌端子１５をインナハウジング２１に収容したのち、各被覆電線１１を揃って、上下に向きを変えかつ左右に振りながら、各挿通溝７４に対して左右の開口７４Ａから挿通するだけで良いから、ケーブル１０の余長部を装着部材７０に装着する作業を簡単に行うことができる。
【００３７】
＜他の実施形態＞
本発明は上記記述及び図面によって説明した実施形態に限定されるものではなく、例えば次のような実施形態も本発明の技術的範囲に含まれる。  
（１）実施形態１において、装着部材の本体板に縦一列に並んで開口する挿通孔の数は任意である。  
（２）実施形態２において、装着部材を構成するジグザグ形のピッチ数、すなわち挿通溝の数は任意である。
【００３８】
（３）上記実施形態では、雌側の防水コネクタを例示したが、雄側の防水コネクタを構成する雄ハウジングについても、本発明は同様に適用することができる。  
（４）さらに、非防水のコネクタを構成するコネクタハウジングにも適用することができる。  
（５）またケーブルとしては、上記実施形態に例示したシールドケーブルに限らず、被覆電線の本数が異なるもの、あるいはドレイン線を用いないシールドケーブル等、要は複数本の被覆電線の回りをシースで覆ったケーブルの端末に設けられるコネクタハウジング全般に広く適用することが可能である。
【符号の説明】
【００３９】
Ｆ１，Ｆ２…雌側の防水コネクタ
１０…シールドケーブル（ケーブル）
１１…被覆電線
１１Ａ…（被覆電線１１の）露出部分（余長部）
１２…シース
１５…雌端子（端子金具）
２０，２０Ａ…雌ハウジング（コネクタハウジング）
２１…インナハウジング
２２…端子収容部
３０…装着部材
３１…本体板
３２…挿通孔
４０…アウタハウジング
４２…コネクタ部
５０…収容室
５５…ゴム栓
５９…ゴム栓嵌合部
６０…バックホルダ（ゴム栓押さえ）
７０…装着部材
７１…帯材
７４…挿通溝
７４Ａ…（挿通溝７４の）開口
【図１】
2013114783.tif 000003
【図２】
2013114783.tif 000004
【図３】
2013114783.tif 000005
【図４】
2013114783.tif 000006
【図５】
2013114783.tif 000007
【図６】
2013114783.tif 000008
【図７】
2013114783.tif 000009
【図８】
2013114783.tif 000010